(57)【要約】【課題】開封したときに消費者の興味を引くようにした紙カートンを提供すること。【解決手段】天面パネル１１に開封部分２０を区画する切込みα線が形成され、背面パネルの上辺に蓋パネル１５が連設され、蓋パネル１５と天面パネル１１の開封部分２０とが貼着されてなる紙カートンであって、天面パネル１１の開封部分２０は蓋パネル１５を開閉するためのヒンジ線βから一定の間隔を置いた前方に位置しており、開封部分２０における貼着部２０ａより後方側に立体形成部２０ｂが位置しており、立体形成部２０ｂには前後方向に広がることのできる複数の切込み又は孔が前後方向で見て互い違いに並んだパターンで形成されている。蓋パネル１５が持ち上げられると、開封部分２０における貼着部２０ａが蓋パネルに付いた状態となり、開封部分の立体形成部２０ｂに上下方向の引張力が作用し、互い違いに並んだ切込みや孔の部分が伸びて立体形成部２０ｂに起伏を生じる。【選択図】図１
2017024780.tif 000002
【特許請求の範囲】
【請求項１】
天面パネルに開封部分を区画する切込み線が形成され、背面パネルの上辺に蓋パネルが連設され、蓋パネルと天面パネルの開封部分とが貼着されてなる紙カートンであって、天面パネルの開封部分は蓋パネルを開閉するためのヒンジ線から一定の間隔を置いた前方に位置しており、開封部分における前方寄りの位置に蓋パネルと貼り合わせるための貼着部があり、開封部分における貼着部より後方側に立体形成部が位置しており、立体形成部には前後方向に広がることのできる複数の切込み又は孔が前後方向で見て互い違いに並んだパターンで形成されていることを特徴とする紙カートン。
【発明の詳細な説明】
【技術分野】
【０００１】
本発明は、板紙からなるカートン（紙容器）の技術分野に属し、詳しくは、菓子類を始めとして、各種生活用品等の物品を収納して販売する際に好適に用いられるトップオープン型の紙カートンに関するものである。
【背景技術】
【０００２】
従来より、このタイプの紙カートンとして、天面パネルと蓋パネルを重ねて接着しておき、蓋パネルをその摘み部分を摘んで持ち上げると、天面パネルの一部が切込み線のところで切り取られて蓋パネル側に移行し、ワンタッチで天面パネルを開封することができ、また蓋パネルの先端の摘み部分を天面パネルの切れ目線に差し込むことで再封を可能とした紙カートンが知られている。
【先行技術文献】
【特許文献】
【０００３】
【特許文献１】実公昭５３−５３６２９号公報
【発明の概要】
【発明が解決しようとする課題】
【０００４】
上記した紙カートンは、開封して蓋を開けた状態で中の菓子類を手で摘んで取り出すことができる点で便利な容器ではあるが、蓋パネルを持ち上げて開けたときに、これと接着されている天面パネルの裏側が見える状態になり、通常は印刷が施されていない板紙の裏面が露出する。そこで、開封状態で露出するこの天面パネルの裏側に絵柄等の印刷を施しておくことも考えられるが、絵柄等を工夫するだけでは在り来りなデザインの域を出ることが難しく、消費者の興味を引いて売上げの向上に繋げる力に乏しい。
【０００５】
本発明は、このような事情に鑑みてなされたものであり、その目的とするところは、開封したときに消費者の興味を引くようにした紙カートンを提供することにある。
【課題を解決するための手段】
【０００６】
上記の目的を達成するため、本発明の紙カートンは、天面パネルに開封部分を区画する切込み線が形成され、背面パネルの上辺に蓋パネルが連設され、蓋パネルと天面パネルの開封部分とが貼着されてなる紙カートンであって、天面パネルの開封部分は蓋パネルを開閉するためのヒンジ線から一定の間隔を置いた前方に位置しており、開封部分における前方寄りの位置に蓋パネルと貼り合わせるための貼着部があり、開封部分における貼着部より後方側に立体形成部が位置しており、立体形成部には前後方向に広がることのできる複数の切込み又は孔が前後方向で見て互い違いに並んだパターンで形成されていることを特徴とする。
【０００７】
上記の構成からなる紙カートンは、蓋パネルを持ち上げると、天面パネルの切込み線のツナギに力が掛かって破れることで開封部分が持ち上げられる。このように蓋パネルが持ち上げられると、開封部分における貼着部が蓋パネルに付いた状態となり、開封部分とヒンジ線との間に一定の間隔があることで、開封部分の立体形成部に上下方向の引張力が作用し、互い違いに並んだ切込みや孔の部分が伸びて立体形成部に起伏を生じる。
【発明の効果】
【０００８】
本発明の紙カートンは、蓋パネルを持ち上げて開封したときに、蓋パネルの裏側に立体感のある起伏模様が徐々に生じるので、動きながら変形するという驚きと面白さがあり、単に平坦な裏面に比べると立体感があることから、消費者の興味を引くことができ、販売促進に繋げることができる。
【図面の簡単な説明】
【０００９】
【図１】本発明に係る紙カートンの一例を示す斜視図である。
【図２】図１の紙カートンを組み立てるブランクの展開図である。
【図３】図２のブランクをサック貼り状態で示す平面図である。
【図４】図１の紙カートンを開封した状態で示す斜視図である。
【図５】立体形成部の各種パターンを示す説明図である。
【発明を実施するための形態】
【００１０】
次に、本発明の実施形態について図面を参照しながら詳細に説明する。
【００１１】
図１は本発明に係る紙カートンの一例を示す斜視図、図２は図１に示す紙カートンを組み立てるブランクの展開図である。
【００１２】
図１の紙カートンは、図２に示す一枚のブランクを組み立てて形成される。図２のブランクは、紙器用の板紙を打ち抜いて形成されたもので、図示のように、互いに平行な折線ａ，ｂ，ｃ，ｄを介して天面パネル１１、前面パネル１２、底面パネル１３、背面パネル１４、蓋パネル１５が順次連設されている。そして、天面パネル１１の左右辺にそれぞれ外側側面パネル１６が連設され、前面パネル１２の左右辺にそれぞれ折込みフラップ１７が連設され、底面パネル１３の左右辺にそれぞれ内側側面パネル１８が連設され、背面パネル１４の左右辺にそれぞれ折込みフラップ１９が連設されている。
【００１３】
天面パネル１１には、周回する切込み線αにより若干前方寄りに矩形状の開封部分２０が区画されている。そして、切込み線αの前部分には数カ所に破断用のツナギｘが残されており、後部分には２ヶ所に連結用のツナギｙが残されている。また、開封領域２０の左右部分には、開封時に立体形成部２０ｂ（後述）がスムースに離れて壊れないようにするためツナギが残されていない。
【００１４】
一方、蓋パネル１５には、背面パネル１４寄りのところに開閉用のヒンジ線βが設けられており、背面パネル１４との間の折線ｄとこのヒンジ線βとにより横長の固定領域２１が区画されており、蓋パネル１５はこの固定領域２１が天面パネル１１と貼着されるようになっている。そして、天面パネル１１の開封部分２０は、天面パネル１１に蓋パネル１５を重ねた状態で見たとき、ヒンジ線βから一定の間隔Ｗ（図１参照）を置いた前方に位置している。また、ヒンジ線βにはその左右寄りにそれぞれ切込み１５ａが形成されている。この切込み１５ａには両端に屈曲部分があり、蓋パネル１５をヒンジ線βで折り返したときに僅かに出っ張った部分が現れるようになっている。
【００１５】
蓋パネル１５は、先端中央が摘み部１５ｂとして僅かに膨らんだ形状とされ、その摘み部１５ｂの内側に円弧状のスリット１５ｃが形成されており、天面パネル１１には開封部分２０の外側で且つ蓋パネル１５のスリット１５ｃと対応する位置に、摘み部１５ａと係合させるための直線状のスリット１１ａが形成されている。
【００１６】
天面パネル１１の開封部分２０は、その前方寄りの領域が蓋パネル１５と貼り合わせるための貼着部２０ａになっており、貼着部２０ａより後方側が立体形成部２０ｂになっている。そして、前記のとおり、貼着部２０ａの前側の切込み線αには複数のツナギｘが設けられており、開封時にはこのツナギｘが破断される。
【００１７】
開封部分２０の立体形成部２０ｂには、横方向の複数の切込みが前後方向に見て互い違いに並んだパターン（模様）で形成されている。具体的には、横方向に並んだの２つの切込みと同じく横方向に並んだ３つの切込みが前後方向に交互に配されたパターンになっている。またこのブランクでは、開封部分２０の後側の切込み線αに残した２つのツナギｙがパターンの一部を構成するようにしてある。
【００１８】
図２に示すブランクの組立手順は次のようである。まず、ブランクを図３に示すようにサック貼り状態とする。具体的には、折線ｂのところで前面パネル１２に対して底面パネル１３、背面パネル１４及び蓋パネル１５を折り曲げ、天面パネル１１における２箇所の糊代Ｆａ，Ｆｂに接着剤を塗布してから、折線ｄのところで蓋パネル１５を折り曲げることで、蓋パネル１５を天面パネル１１に重ねて貼り合わせる。このようにサック貼りすると、天面パネル１１における開封部分２０の貼着部２０ａが糊代Ｆａのところで蓋パネル１５と貼着され、蓋パネル１５の固定領域２１が糊代Ｆｂのところで天面パネル１１の後側に貼着された状態になる。
【００１９】
そして、充填工程において、このサック貼りしたブランクを折線ａ，ｂ，ｃ，ｄのところで角筒状に起こす。次いで、一方の側部にて、折込みフラップ１７，１９を内側に折り曲げてから、内側側面パネル１８と外側側面パネル１６を個の順にそれぞれ内側に折り曲げて互いに貼り合わせる。このように、一方の側部を閉じてから、他方の側部開口から内容物を投入する。続いて、他方の側部にて、折込みフラップ１７，１９を内側に折り曲げてから、内側側面パネル１８と外側側面パネル１６を個の順にそれぞれ内側に折り曲げて互いに貼り合わせる。これにより、図１に示す紙カートンが形成される。
【００２０】
図１に示す紙カートンを開封するには、蓋パネル１５の先端にある摘み部１５ｂを引っ張り上げる。このように蓋パネル１５を持ち上げると、天面パネル１１における開封部分２０の貼着部２０ａにあるツナギの部分に力が掛かって破断され、図４に示す如く蓋パネル１５がヒンジ線βのところで回動して開けられる。蓋パネル１５を開けたとき、ヒンジ線βにある切込み１５ａにより出っ張りが出現するので、蓋パネル１５を立てた状態にすることができる。
【００２１】
開封状態では、図４に示すように、蓋パネル１５は、開封部分２０における貼着部２０ａが付いた状態となり、開封部分２０とヒンジ線βとの間に一定の間隔であるので、立体形成部２０ｂは前後方向、すなわち上下に引っ張られることになり、それによって各切込みが上下方向に開き、立体形成部２０ｂは全体的に立体感のある形状に変化する。ここで、開封部分２０とヒンジ線βとの間隔Ｗは、蓋パネル１５を開けたときに立体形成部２０ｂの切込みが適度に開くように決めればよい。
【００２２】
開封した状態から、蓋パネル１５を元に戻し、摘み部１５ｂの内側にある円弧状のスリット１５ｃの部分を凹ませ、スリット１５ｃで形成される円弧状凸部を天面パネル１１のスリット１１ａに差し込んで係止することにより蓋をして閉じることができる。
【００２３】
図５に天面パネル１１の開封部分２０における立体形成部２０ｂの切込みによる各種パターン（模様）を例示している。図５（ａ）のパターンは図２に示したものと同じであり、図５（ｂ）のパターンは横方向の切込みを波形にしたものであり、図５（ｃ）のパターンは横方向の切込みに星形や丸形を組み合わせたものである。このように、立体形成部２０ｂには、横方向成分のある切込みが前後方向で見て互い違いに並んだパターンが形成されているので、この立体形成部２０ｂに上下方向の引張力が作用すると、切込みのない部分が繋がった状態で切込みの部分が広がるように伸びて立体形成部に起伏を生じる。
【００２４】
また、立体形成部には、切込みの代わりに各種形状の孔でパターン（模様）を形成してもよいし、さらには、切込みと孔を組み合わせてパターンを形成してもよい。孔の形状は、上下方向に引張力が作用したときに広がるものであれば任意であり、例えば、矩形、三角形、楕円、横向きの紡錘形、幅のあるスリットなど種々の形状が挙げられる。このように紙カートンの中身や用途に応じて所望とするパターンを採用すればよい。
【００２５】
以上、本発明の実施形態を一例を挙げて詳細に説明してきたが、本発明による紙カートンは、上記の実施形態に何ら限定されるものではなく、本発明の趣旨を逸脱しない範囲において種々の変更が可能であることは当然のことである。
【００２６】
例えば、上記の実施形態では、蓋パネルを開閉するためのヒンジ線を背面パネルから少し前方に設けたが、蓋パネルと背面パネルの境界の折線をヒンジ線としてもよい。また、蓋パネルに設けるヒンジ線をＳ字状として、蓋パネルを立てた状態で保持するようにしてもよい。
【符号の説明】
【００２７】
１１  天面パネル
１１ａ  スリット
１２  前面パネル
１３  底面パネル
１４  背面パネル
１５  蓋パネル
１５ａ  切込み
１５ｂ  摘み部
１５ｃ  スリット
１６  外側側面パネル
１７  折込みフラップ
１８  内側側面パネル
１９  折込みフラップ
２０  開封部分
２０ａ  貼着部
２０ｂ  立体形成部
２１  固定領域
ａ〜ｄ  折線
α  切込み線
β  ヒンジ線
【図１】
2017024780.tif 000003
【図２】
2017024780.tif 000004
【図３】
2017024780.tif 000005
【図４】
2017024780.tif 000006
【図５】
2017024780.tif 000007